(57)【特許請求の範囲】
【請求項１】
プログラムされたマイクロプロセッサおよびメモリを内蔵するＩＣカードを使用して拾得処理センターに該ＩＣカードのメモリに格納された情報を送信し該拾得処理センターから所定の情報を受信するＩＣカード拾得処理システムであって、
プログラムされた第１のシステム制御手段と、
第１のＩＣカードを第１のカード収納口から挿入して収納する第１の収納手段と、
該第１のシステム制御手段により該第１のＩＣカードのメモリから該ＩＣカードのマイクロプロセッサを用いて所定の情報を読み出す第１のＩＣカード情報読み出し手段と、
該第１のシステム制御手段により該拾得処理センターに所定の情報を送信する第１の送信手段と、
該第１のシステム制御手段により該拾得処理センターから所定の情報を受信する第１の受信手段と、
ＩＣカード拾得に対する拾得報奨金データ提供のための、報奨用ＩＤコードをメモリ内に格納する第２のＩＣカードを第２のカード収納口から挿入して収納する第２の収納手段と、
該第１のシステム制御手段により所定の情報を該第２のＩＣカードに書き込む第２のＩＣカード情報書き込み手段とで構成される端末装置と、
プログラムされた第２のシステム制御手段と、
該第２のシステム制御手段により該端末装置から所定の情報を受信する第２の受信手段と、
該第２のシステム制御手段により該端末装置に所定の情報を送信する第２の送信手段と、
該第１のＩＣカードの持主に関する情報とデータベースの情報とを比較して該第１のＩＣカードが拾得されたＩＣカードであることをチェックする手段と、
該チェックする手段により該第１のＩＣカードが拾得されたＩＣカードであるとチェックされたとき該第１の送信手段を用いて該端末装置から送信された該第１のＩＣカードから読み出された情報を該第２の受信手段を用いて受信し格納する第１のメモリ手段と、
該第１のＩＣカードから読み出された情報を該第１のメモリ手段に格納終了後に該第２のシステム制御手段により該第１のＩＣカードの動作を無効にする命令を発生する無効命令発生手段と、
該報奨用ＩＤコードに関する情報を格納する第２のメモリ手段と、
該第１のＩＣカードから読み出された情報を該第１のメモリ手段に格納終了後に、該第２のメモリ手段に格納されている該報奨用ＩＤコードに関する情報をもとに該報奨用ＩＤコードを生成する手段とで構成される拾得処理センターと、で構成され、
該端末装置が有する拾得処理開始ボタンが押された後該第１のシステム制御手段により前記第１のＩＣカード情報読み出し手段を働かせ読み出された情報に基づき生成した呼出し信号を該第１の送信手段を経由して送信して拾得処理センターにアクセスし、
該端末装置からのアクセスによる該呼出し信号に基づき該第２のシステム制御手段により拾得処理受付に関するデータを該拾得処理センターから該端末装置に送信し、
該拾得処理受付に関するデータに基づき端末装置から該第１の送信手段を経由して送信された該第１のＩＣカードから読み出された該第１のＩＣカードの持主に関する情報とデータベースの情報とを比較して該第１のＩＣカードが拾得されたＩＣカードであることをチェックし、
該第１のＩＣカードが拾得されたＩＣカードであるとチェックされたとき該端末装置から送信された該第１のＩＣカードから読み出された情報を該第１のメモリ手段に格納し、
該第１のＩＣカードから読み出された情報を該第１のメモリ手段に格納終了後に該第２のシステム制御手段により発生した無効命令を該端末装置に送信し、
該拾得処理センターから送信される無効命令により該第１のＩＣカードの動作を行えないように該第１のシステム制御手段と該ＩＣカードのマイクロプロセッサにより該第１のＩＣカードを電気的に処理し、
該拾得処理センターにて生成された報奨用ＩＤコードを該端末装置に送信し、該第１のシステム制御手段と該第２のＩＣカード情報書き込み手段により該生成された報奨用ＩＤコードを該第２のＩＣカードに書き込むことを特徴とするＩＣカード拾得処理システム。
【請求項２】
請求項１に記載のＩＣカード拾得処理システムにおいて、
該拾得処理センターの無効命令発生手段は、該第１のＩＣカードから読み出された情報格納完了後に該第１のＩＣカードの情報消去命令を発生し、
該報奨用ＩＤコード及び該収納された第１のＩＣカードの情報消去命令を端末装置に送信することにより、該第１のＩＣカードを電気的に無効化することを特徴とするＩＣカード拾得処理システム。
【請求項３】
請求項１に記載のＩＣカード拾得処理システムにおいて、
該端末装置は、
該拾得報奨データが書き込まれた第２のＩＣカードの情報の読み出しを行う第２のＩＣカード読み出し手段と、
該第２のＩＣカードから読み出されたアクセス先情報を含む報奨用ＩＤコードに基づき拾得処理センターにアクセスする手段と、
該拾得処理センターから送信された拾得報奨金データを該第２のＩＣカードに書き込む手段を有し、
該拾得処理センターは、
該端末装置により、該第２のＩＣカードから読み出され送信された報奨用ＩＤコードに基づき、該拾得報奨金データを該端末装置に送信する手段を有することを特徴とするＩＣカード拾得処理システム。
【請求項４】
請求項３に記載のＩＣカード拾得処理システムにおいて、
該端末装置は、
該拾得処理センターから送信される無効にする命令により該第２のＩＣカードに書き込まれた報奨用ＩＤコードを無効にする手段を有し、
該拾得処理センターは、
該端末装置から送信されたアクセス先情報を含む報奨用ＩＤコードに基づき、該第２のＩＣカードの報奨用ＩＤコードを無効にする命令を該端末装置に送信する手段を有することを特徴とするＩＣカード拾得処理システム。
【請求項５】
請求項４に記載のＩＣカード拾得処理システムにおいて、
該端末装置の該報奨用ＩＤコードを無効にする手段は、該拾得処理センターから該第２のＩＣカードの報奨用ＩＤコードを消去する命令に基づいて、該第２のＩＣカードの報奨用ＩＤコードを消去することにより、該報奨用ＩＤコードを無効にすることを特徴とするＩＣカード拾得処理システム。
【請求項６】
マイクロプロセッサおよびメモリを内蔵するＩＣカードを使用し、拾得処理センターと通信する通信機能を有するＩＣカード拾得処理端末装置であって、
第１のＩＣカードを第１のカード収納口から挿入して収納する第１の収納手段と、
該第１のＩＣカードから情報を読み出す第１のＩＣカード情報読み出し手段と、
拾得処理センター呼び出し手段と、
拾得処理センター呼び出し手段をきっかけとして該第１のＩＣカードから読み出された情報に基づき拾得処理センターにアクセスする手段と、
該拾得処理センターに該第１の１Ｃカードから読み出された情報を送信する手段と、
ＩＣカード拾得に対する拾得報奨金データ提供のための、報奨用ＩＤコードを格納する第２のＩＣカードを第２のカード収納口から挿入して収納する第２の収納手段と、
該拾得処理センターから該第２のＩＣカードに書き込む情報を受信する手段と、
該拾得処理センターにて生成された報奨用ＩＤコードを該第２のＩＣカードに書き込む第２のＩＣカード情報書き込み手段と、
該拾得処理センターから該第１のＩＣカードを電気的に処理する情報を受信する手段と、
該拾得処理センターから送信される無効命令により該第１のＩＣカードの動作を行えないようにするため該第１のＩＣカードを電気的に処理する手段とを有し、
該ＩＣカード拾得処理端末装置から送信した呼出し信号に基づき該拾得処理センターから、拾得処理受付に関するデータを受信し、
該拾得処理受付に関するデータに基づき送信した該第１のＩＣカードから読み出された該第１のＩＣカードの持主に関する情報とデータベースの情報とが該拾得処理センターにおいて比較され、該第１のＩＣカードが拾得されたＩＣカードであることを該拾得処理センターにおいてチェックされ、
該第１のＩＣカードが拾得されたＩＣカードであるとチェックされ、該送信した該第１のＩＣカードから読み出された情報を該拾得処理センターの有する第１のメモリ手段に格納された後に該第１のＩＣカードの動作を無効にする無効命令を受信し、
該送信した該第１のＩＣカードから読み出された情報を該拾得処理センターの該第１のメモリ手段に格納された後に、該拾得処理センターの有する該報奨用ＩＤコードに関連する情報を格納する第２のメモリ手段に格納された情報をもとに生成された該報奨用ＩＤコードを受信し、
該無効命令に基づいて、該第１のＩＣカードの動作を行えないように電気的に無効化処理し、該報奨用ＩＤコードを該第２のＩＣカードに書き込むことを特徴とするＩＣカード拾得処理端末装置。
【請求項７】
請求項６に記載のＩＣカード拾得処理端末装置において、
該拾得処理センターから、該第１のＩＣカードから読み出された情報格納完了後に該第１のＩＣカードの情報消去命令が送信され、該送信された第１のＩＣカードの情報消去命令に基づいて、該第１のＩＣカードの動作を行えないように電気的に無効化することを特徴とするＩＣカード拾得処理端末装置。
【請求項８】
請求項７に記載のＩＣカード拾得処理端末装置において、
該ＩＣカード拾得処理端末装置は、
該報奨用ＩＤコードが書き込まれた第２のＩＣカードの情報の読み出しを行う第２のＩＣカード読み出し手段と、
該第２のＩＣカードから読み出されたアクセス先情報を含む報奨用ＩＤコードに基づき拾得処理センターにアクセスする手段と、
該拾得処理センターから送信された拾得報奨金データを該第２のＩＣカードに書き込む手段を有し、
該ＩＣカード拾得処理端末装置から送信した報奨用ＩＤコードに基づき、該拾得処理センターから該拾得報奨金データを受信し、該第２のＩＣカードに書き込むことを特徴とするＩＣカード拾得処理端末装置。
【請求項９】
請求項８に記載のＩＣカード拾得処理端末装置において、
該ＩＣカード拾得処理端末装置は、
該第２のＩＣカードに書き込まれた報奨用ＩＤコードを無効にする手段を有し、
該ＩＣカード拾得処理端末装置から送信した該報奨用ＩＤコードに基づき、該拾得処理センターから受信した該第２のＩＣカードの報奨用ＩＤコードを無効にする命令により該第２のＩＣカードに書き込まれた報奨用ＩＤコードを無効にすることを特徴とするＩＣカード拾得処理端末装置。
【発明の詳細な説明】
技術分野
本発明は、ＩＣカードを拾得した場合の処理システムに関わり、特に通信回線と電子財布とを使い、効率的な処理を行うＩＣカード拾得処理方法及び装置に関する。
背景技術
現在、クレジットカードや銀行のキャッシュカードなどでは、磁気ストライプを使ったカードが主に使用されている。しかしながら、磁気ストライプ使用のカードは、不正使用などセキュリティの面で大きな課題を有している。この課題を解決するものとして、株式会社電気書院発行のＩＣカード(1989.7発行)に記載されているようなＩＣチップを搭載したＩＣカードがある。また、ＩＣカードを利用したシステムの一例として、電子化されたマネーに関し、特表平０５−５０４６４３号に記載されている電子財布システムがある。
ＩＣカードの利用により、カードの複製やデータ改変などの不正についてはセキュリティを大幅に高めることができる。その結果、ＩＣカードの盗難やカードの複製やデータ改変などの不正使用については抑止力を期待できる。一方、ＩＣカードの特徴であるデータの書替え可能、高セキュリティ、多量のデータ格納などを活用したＩＣカード所持者固有のパーソナル情報−例えば、ショッピングにおける利用回数、利用ポイント数、個人の洋服サイズ情報など−をＩＣカード内に格納することが考えられる。その結果、カードを紛失した場合に、従来はカード機能の停止(無効化)が主な目的であったが、今後はカード機能の停止(無効化)に加えてＩＣカード内に格納されているパーソナル情報を回収することが課題となる。従って、ＩＣカード紛失時に如何に紛失カードを回収するかと言う事が課題となる。特に、電子財布において匿名性を有する現金をＩＣカード内に格納して利用するシステムでは、ＩＣカード紛失時の効果的な回収は現金情報の回収という大きな課題を有する。本発明の一つの目的は、拾得ＩＣカード内に格納されている情報を拾得者及び本来のＩＣカード所有者、カード発行者などに負担をかけずに容易に回収し、所有者に返戻できるＩＣカード拾得処理方法及び装置を提供することにある。また、他の目的は、ＩＣカードの回収率を向上させるためにＩＣカード拾得者に通信回線を利用して電子マネーにて報奨を供与するＩＣカード拾得処理方法及び装置を提供することにある。さらに、拾得率を向上させることで、ＩＣカードの持つセキュリティをより高いレベルに維持することを可能として、ＩＣカードシステムのセキュリティ維持費用を安くすることである。
発明の開示
本発明は、マイクロプロセッサもしくはメモリを内蔵するＩＣカードと、該ＩＣカードに格納された情報を読み書きする手段と、該情報を公衆回線網を使用して送受信する通信手段とを有するＩＣカードシステムにおける拾得ＩＣカードの処理を、
拾得したＩＣカードを挿入する挿入口と、
第２のＩＣカードを挿入する第２の挿入口と、
拾得したＩＣカードの情報を拾得処理センターに送信する拾得処理を開始するための専用ボタンと、
該専用ボタンが押された後、該挿入された拾得ＩＣカードから読み出された情報に基づき拾得処理センターを呼び出す手段と、
拾得処理状況が表示されるディスプレイ手段と、
該第２のＩＣカード内の情報を読み出してセンターに送信する手段と、
センターにて生成された拾得処理に対する処理コードを該第２のＩＣカードに書き込む手段と、
センターからの指令より拾得ＩＣカード内の情報を消去する手段と、
該消去された拾得ＩＣカードを格納する手段とで構成される端末装置と、
該端末装置からの送信信号に基づき、少なくとも拾得ＩＣカードの情報を格納する手段と該拾得処理に対する処理コードを発生する手段と拾得ＩＣカード内の情報を消去する指令を発生する手段と該端末から送信された第２のＩＣカードの情報と該処理コードとを格納する手段とを有する処理センターとで構成している。
本発明により、拾得ＩＣカード内に格納されている情報をカード拾得者及び本来のＩＣカード所有者、カード発行者などに負担をかけずに容易に回収できると共に、所有者への情報に返戻も可能となる。また、不正行為を防止しつつ、ＩＣカードの拾得者に通信回線を利用して電子マネーにて適正かつ簡単に報奨金を供与する事ができる。
【図面の簡単な説明】
図１は、本発明を適用したＩＣカード拾得処理対応公衆電話の一例であり、図２は、本発明を適用したＩＣカード拾得処理対応公衆電話のブロック構成の一例であり、図３は、本発明を適用したＩＣカード拾得処理対応公衆電話の動作フローチャートの一例であり、図４は、本発明を適用したＩＣカード拾得処理対応公衆電話のブロック構成の他の一例であり、図５は、本発明を適用したＩＣカード拾得処理対応公衆電話の動作フローチャートの他の一例である。
発明を実施するための最良の形態
以下、図面を用いて本発明の一実施例について説明する。
図１は、本発明を適用したＩＣカード拾得処理対応公衆電話の一例であり、図２は図１に示すＩＣカード拾得処理対応公衆電話を構成するブロック図の一例であり、図３は動作フローチャートの一例である。
図１において、１はＩＣカード拾得処理対応公衆電話の本体、２，３はＩＣカード挿入口、４はＩＣカード拾得処理センターを呼び出すための機能ボタン、５はディスプレイ，６は数字キー、７はＩＣカード拾得処理センター、８は公衆通信回線を示す。
まず、ＩＣカードを拾得した時の処理について図１、図２及び図３を用いて説明する。
拾得ＩＣカードの処理を始めるために、図１のＩＣカード拾得処理対応公衆電話１でＩＣカード拾得処理センター呼び出しボタン４を押す。具体的動作は、図２に示すＩＣカード拾得処理対応公衆電話１のブロック構成の一例において、Ｉ／Ｏポート２３を経てキーボード２５からＩＣカード拾得処理センター呼び出しボタン信号が入力され、処理回路ブロック１１内のシステム制御回路２２とＲＡＭ(Random Access Memory)２０とＲＯＭ(Read Only Memory)２４のデータに基づいてＩＣカード拾得処理対応公衆電話１を拾得ＩＣカード処理モードにする(ステップ６６)。同時にＩ／Ｏポート１２，ＬＣＤコントロール回路１０を制御し、ＬＣＤディスプレイ５に『拾得ＩＣカード又は電子財布カードを入れて下さい。』の表示を出す(ステップ６７)。なお、以下特に説明しないが、ディスプレイ５の表示は、受話器６５をへて音声でもしらされる。
この指示に従って、拾得したＩＣカード３４を図１のカード挿入口Ａ２に挿入する。ＩＣカード拾得処理対応公衆電話１では、ＩＣカードローディング／アンローディング回路３１及び作動機構３０にてカードが挿入された事を確認すると、挿入されたカードが電子財布カードかどうかをチェックする為に、ＩＣカードコネクタ２８、リーダ／ライタ回路２６，Ｉ／Ｏポート１４を通してＡＴＲ(Answer To Reset)動作が行われ、カードチェック回路１７にて動作確認を行う。また、ＡＴＲ情報からＩＣカードの識別を行う(ステップ６８)。
挿入されたＩＣカードがＡＴＲ応答無しなどのような完全な不動作をカードチェック回路１７にて確認された場合には、『このＩＣカードは動作不良です。処理を中止します。有難うございました。』をディスプレイ５に一定期間表示する(ステップ６９)。一定期間終了後、『処理終了』表示に切替る(ステップ７０)とともに、挿入されたＩＣカードをＩＣカードローディング／アンローディング回路３１及び機構３０にて排出する(ステップ１１７)。
挿入されたＩＣカードの動作が確認された後、読みだされたＡＴＲ情報とＲＯＭ２４内のＩＣカード識別情報による挿入ＩＣカードの識別される(ステップ６８)。
その結果、電子財布カードでない場合は、『拾得ＩＣカードの処理を始めます。』の表示をディスプレイ５に出す(ステップ１１６)。同時にＡＴＲ内に格納されている拾得ＩＣカードの所属する処理センターの情報がデータ抽出２１にて読みだされ(ステップ７１)、その情報に基づきオートダイアル回路１９にて通信機能回路３６、公衆通信網を通して所属センターに自動的に通話(オートダイアル)される(ステップ７２)。このオートダイアルが行われると、ディスプレイ５に『センター呼出し中』の表示が成される。
一方、ＩＣカード拾得処理センターでは、公衆通信網を経てセンターに送られた上記呼出し信号を通信機能回路３８，Ｉ／Ｏポート４１を通して受信すると、処理回路ブロック４０内のシステム制御回路５４とＲＡＭ(Random Access Memory)５０とＲＯＭ５２のデータに基づき拾得ＩＣ処理モードに成り、『拾得処理受付中』の情報を発信元のＩＣカード拾得処理対応公衆電話１に返信する。なお、以下特に説明しないが、応答用の音声認識／合成回路３９は、音声での応答のための音声出力を上記返信信号と合わせてＩＣカード拾得処理対応公衆電話１に送信する。
ＩＣカード拾得処理対応公衆電話１では、この返信信号に基づき、ディスプレイ５に『拾得処理センタ受付中』を表示する(ステップ１１８)。また、Ｉ／Ｏポート１３，音声ＣＯＤＥＣ回路９，受話器６５にて、音声での応答も行う。
さらに、センターは、上記信号返信に続いて、まず拾得ＩＣカードのシステム固有の情報−ＩＤコード、発行場所、発行年月日、発行バージョンなど−を読み出す指令を送信する。
この指令を受けてＩＣカード拾得処理対応公衆電話１では、処理回路ブロック１１内のリード／ライト制御回路１８により挿入された拾得ＩＣカード３４からＩＣカードコネクタ２８、リーダ／ライタ回路２６，Ｉ／Ｏポート１４を通して上記システム固有の情報を読み出す。読み出した情報は、ＩＣカード拾得処理対応公衆電話１内に格納されること無く、上記ＩＣカード拾得処理センター７に通信機能回路３６，公衆通信網３７，通信機能回路３８を経て送られる(ステップ７４)。
ＩＣカード拾得処理センター７では、読み出された情報に基づき、他のコンピュータ(バックヤードコンピュータ５５)にて通信機能５６を用いて、盗難カードのデータなどが格納されている他のデータベース６４とのチェックを行う。その結果をカード履歴チェック５１にて上記拾得ＩＣカードより読み出されたシステム固有情報と一対にする(ステップ７６)。加えて、バックヤードコンピュータ５５では上記拾得処理とは切り離されて、通信機能５６や他のデータベース６４などを利用して、紛失ＩＣカードを探していることを掲示しているデータベース(Wanted Database)にアクセスし、拾得されたＩＣカードが該当するかどうかチェックしたり、読み出されたＩＣカード固有情報に基づいて所有者を特定する。このようにして特定されたＩＣカード所有者に対してＩＣカードが拾得されたことの連絡を行う。
このチェックと同時にＩＣカード拾得処理対応公衆電話１に対して『ＩＣカードチェック中』の返信を行う。ＩＣカード拾得処理対応公衆電話１では、この返信信号に対応してディスプレイ５に『ＩＣカードチェック中』の表示を行う(ステップ７５)。
さらに、センター７の処理回路ブロック４０のＲＯＭ５２のデータに基づく指令により拾得ＩＣカード３４に対し不正な複製カードであるか，データ改変があるかなどセキュリティチェックのためにいくつかのアクセスを行い、その出力結果をセンター７に送信する。このセキュリティチェックデータは、解析に時間が掛かるので、拾得処理とは切り離して、バックヤードコンピュータ５５で行われる。このセキュリティチェック結果は、後述する拾得ＩＣカードの情報に付加されて格納される。
このＩＣカードチェックが終了すると、拾得ＩＣカード処理に対する報奨提供の為に電子財布カードの挿入をセンター７からＩＣカード拾得処理対応公衆電話１に指示する。この指示に基づきＩＣカード拾得処理対応公衆電話１は、ディスプレイ５に『電子財布カードを入れて下さい』と言う表示をすると共に、電子財布カード受入れモードになる(ステップ７７)。ここで、ＩＣカードが挿入されると、そのカードが電子財布機能を有するカードであるかどうかがチェックされ(ステップ７７)、電子財布機能を有さないカードである場合や一定時間経過してもカードが挿入されない場合にはディスプレイ５に『電子財布カードを持参して、再度拾得処理を御願いします。』表示をする(ステップ８０)。その後、『有難うございました。』の表示(ステップ８１)，『処理終了』の表示(ステップ８２)と共に挿入されていた拾得ＩＣカードがカード挿入口より排出される(ステップ８３)。さらに、センター７には、拾得ＩＣカード処理の電子財布カード未挿入による途中キャンセルである情報を送信する。
この送信信号を受けて、センター７では、上記拾得ＩＣカードより読み出されたシステム固有情報と拾得ＩＣカードの履歴チェック結果に対して、処理途中終了である旨の情報を付加してセンター７内の拾得ＩＣカードメモリ５７にＩ／Ｏポート４４を経て格納する(ステップ８３)。
一方、電子財布機能を有するカードの場合には挿入された電子財布カードからＩＤコード、発行場所、発行年月日、発行バージョンなどのシステム固有情報が読み出される(ステップ７８)。この電子財布カードから読み出されたシステム固有情報は、ＩＣカード拾得処理対応公衆電話１内に格納されること無く、センター７に送信される。センター７では、上記電子財布カード固有情報を受信すると、報奨者へ報奨受取可能日の連絡及び本人確認のために連絡先電話番号の入力及び拾得ＩＣカード内のユーザー全情報の読み出しをするように指示を出す。この指示を受けて、ＩＣカード拾得処理対応公衆電話１は、ディスプレイ５に『連絡先電話番号入力して下さい』の表示をし、連絡先電話番号の入力待ち状態となる(ステップ７９)。ここで、連絡先電話番号が入力されると、入力された電話番号がディスプレイ５上に表示されると共に(ステップ８４)、拾得ＩＣカード内のユーザー全情報の読み出しが行われる(ステップ８５)。
読み出された拾得ＩＣカード内のユーザー全情報は、ＩＣカード拾得処理対応公衆電話１内に格納されること無く、センター７に送信される。センター７では、上記拾得ＩＣカード内のユーザー全情報を上記電子財布固有情報と連絡先電話番号情報と共に先に読み出した拾得ＩＣカード情報メモリ５７に格納する(ステップ８６)。
同時にセンター７内の報奨履歴チェック回路４９は、同じく報奨用データメモリ５８に格納されている今までの報奨支払履歴と今回送信された電子財布固有情報とのチェックを行い、報奨金狙いの不正行為防止の為、報奨間隔が以上に短いかどうかのチェックを行う。
ここで、報奨履歴のチェックで異常が無いと、ＩＣカード拾得処理に対する報奨金供与の為のＩＤコードが報奨用データ生成回路４７にて生成される(ステップ８７)。
この生成された報奨用ＩＤコードは、ＩＣカード拾得処理対応公衆電話１に送信され、挿入されている電子財布カード３５のユーザーエリアにリード／ライト制御回路１８、リーダ／ライタ２７などにより書き込まれる(ステップ８８)。報奨用ＩＤコードは、日付、拾得処理センターコード、センター電話番号、報奨処理ＩＤ番号、拾得処理ＩＣカードの種類、拾得処理を受け付けた公衆電話の番号などで構成されている。
ここで、拾得処理に対する報奨金を即座に支払わずに報奨用ＩＤコードを電子財布カードに書き込む理由は、
１．報奨金を狙った不正行為を防止するために、
Ａ)拾得者の本人チェックを行う
Ｂ)拾得者への報奨金供与は拾得カードの所有者が発見された後行う
Ｃ)所有者が見つからない場合には、一定期間(例えば、１年とか半年など)を経た後に拾得センターが報奨金の提供を行う
２．拾得したＩＣカードには，(ａ)自動車運転免許証，(ｂ)健康保険証，(ｃ)電子財布カード，(ｄ)クレジットカードなど様々なカードが想定でき、また所有者のデータ回収必要度などが異なるので、拾得報奨を所有者の裁量に任せる余地を残す
などの為である。
報奨用ＩＤコードの書き込みが終了すると、センター７から情報及び指令に基づき、ディスプレイ５に『有難うございました。拾得されたＩＣカードは、…カード(例えば、電子財布カードなど)でした。拾得報奨は、所有者が判明した後、ＴＥＬ通知を行います。報奨受取には、本電子財布カードが必要と成ります。』の表示を行う(ステップ８９)。一定期間表示後、『電子財布カードをお取り下さい。拾得処理終了です。』の表示(ステップ９０)と共に、挿入されていた電子財布カード排出します(ステップ９１)。
一方、拾得ＩＣカードの方は、ユーザー全情報が消去された後、ＩＣカードの動作を行えないように処理されて、ＩＣカード拾得処理対応公衆電話１内に回収される。
ところで、上記報奨履歴のチェックにて異常が認められた場合には、『拾得処理を中断します。処理中断センター(電話番号ｘｘｘ−ｙｙｙｙ)までご連絡願います。』の表示をだして、電子財布カードを排出して終了する。さらに、読み出された拾得ＩＣカードの情報に上記異常の認められた電子財布カードの固有情報及び報奨履歴の異常を示すフラグ，拾得処理受付日付時間，受付公衆電話の番号などを付加して、拾得ＩＣカード情報メモリ５７のうちの異常項目に格納する。また、拾得ＩＣカードの方は、ユーザー全情報が消去された後、ＩＣカードの動作を行えないように処理されて、ＩＣカード拾得処理対応公衆電話１内に回収される。
次に、拾得報奨金受取について図１，図２，図３を用いて説明する。拾得処理による報奨金の受取は、上述したようにまず、センター７にて拾得ＩＣカードから読み出した情報による所有者確認や盗難等のカード履歴のチェックなどが完了したのち、拾得カードの所有者との連絡が行われる。そして、拾得カードの所有者との報奨金額(一定金額のガイドラインに基づいて算定されたもの、又は所有者からの懸賞金など)及びセンターの拾得処理手数料の確認がなされる。この結果に基づいて、センター７内の報奨用データメモリ５８の該当報奨ＩＤコードに対して報奨金額が書き込まれる。
その後、電話による拾得者本人確認が行われ、本人確認終了後に報奨金受取が許可される。従って、本人確認が完了するとセンター７内の報奨用データメモリ５８にアクセス承認の措置が取られる。
報奨受取の処理を始めるために、図１のＩＣカード拾得処理対応公衆電話１ではＩＣカード拾得処理センター呼び出しボタン４を押す。具体的動作は、図２に示すＩＣカード拾得処理対応公衆電話１のブロック構成の一例において、Ｉ／Ｏポート２３を経てキーボード２５からＩＣカード拾得処理センター呼び出しボタン信号が入力され、処理回路ブロック１１内のシステム制御回路２２とＲＡＭ(Random Access Memory)２０とＲＯｍ(Read Only Memory)２４のデータに基づいてＩＣカード拾得処理対応公衆電話１を拾得ＩＣカード処理モードにする(ステップ６６)。同時にＩ／Ｏポート１２，ＬＣＤコントロール回路１０を制御し、ＬＣＤディスプレイ５に『拾得ＩＣカード又は電子財布カードを入れて下さい。』の表示を出す(ステップ６７)。なお、以下特に説明しないが、ディスプレイ５の表示は、受話器６５をへて音声でもしらされる。
この指示に従って、電子財布カード３５を図１のカード挿入口Ｂ３に挿入する。ＩＣカード拾得処理対応公衆電話１では、ＩＣカードローディング／アンローディング回路３３及び作動機構３２にてカードが挿入された事を確認すると、挿入されたカードが電子財布カードかどうかをチェックする為に、ＩＣカードコネクタ２９、リーダ／ライタ回路２７，Ｉ／Ｏポート１５を通してＡＴＲ(Answer To Reset)動作が行われ、カードチェック回路１７にて動作確認を行う。
また、ＡＴＲ情報からＩＣカードの識別を行う(ステップ６８)。
挿入されたＩＣカードがＡＴＲ応答無しなどのような完全な不動作をカードチェック回路１７にて確認された場合には、『このＩＣカードは動作不良です。処理を中止します。有難うございました。』をディスプレイ５に一定期間表示する(ステップ６９)。一定期間終了後、『処理終了』表示に切替る(ステップ７０)とともに、挿入されたＩＣカードをＩＣカードローディング／アンローディング回路３１及び機構３０にて排出する(ステップ１１７)。
挿入されたＩＣカードの動作が確認された後、読みだされたＡＴＲ情報とＲＯＭ２４内のＩＣカード識別情報により挿入ＩＣカードが識別される(ステップ６８)。
その結果、電子財布カードである場合は、『報奨処理を始めます。』の表示をディスプレイ５に出す(ステップ１１５)。
次に、電子財布のユーザーエリアに格納されている報奨ＩＤコード及び上述した電子財布カード固有の情報がデータ抽出２１にて読みだされ(ステップ９２)、報奨ＩＤコード内の情報に基づきオートダイアル回路１９にて通信機能回路３６、公衆通信網を通して報奨支払のセンター７に自動的に通話(オートダイアル)される(ステップ９３)。なお、電子財布のユーザーエリアに報奨ＩＤコードが格納されていない場合には、『このカードには、報奨コードがありません。処理を中止します。カードをお取り下さい。』の表示(ステップ１２２)をし、カードを排出して終了する。このオートダイアルが行われると、ディスプレイ５に『センター呼出し中』の表示が成される(ステップ９４)。
一方、報奨支払処理センター７では、公衆通信網を経てセンターに送られた上記呼出し信号を通信機能回路３８，Ｉ／Ｏポート４１を通して受信すると、処理回路ブロック４０内のシステム制御回路５４とＲＡＭ(Random Access Memory)５０とＲＯＭ５２のデータに基づき報奨処理モードに成り、『報奨処理受付中』の情報を発信元のＩＣカード拾得処理対応公衆電話１に返信する。なお、以下特に説明しないが、応答用の音声認識／合成回路３９は、音声での応答のための音声出力を上記返信信号と合わせてＩＣカード拾得処理対応公衆電話１に送信する。
ＩＣカード拾得処理対応公衆電話１では、この返信信号に基づき、ディスプレイ５に『報奨処理センタ受付中』を表示する(ステップ９７)。また、Ｉ／Ｏポート１３，音声ＣＯＤＥＣ回路９，受話器６５にて、音声での応答も行う。
さらに、センター７にて報奨処理が受け付けられると同時に、電子財布カードから読みだされた報奨ＩＤコード，電子財布固有情報がセンター７に送信される。センター７では、送信された報奨ＩＤコードと電子財布固有情報を受信データ確認回路４８などにて確認及びチェックを行う。受信データ確認回路４８は、報奨用データメモリ５８に格納されているデータと送信された報奨ＩＤコードとの対応を行うと共に、報奨金額に相当する金銭データを支払うようにセンター７内の電子財布カード６３に指示を与える。
その後、上記センター７から報奨金額表示のデータと共に電子財布カード６３から報奨金がＩＣカード拾得処理対応公衆電話１に送信される。ＩＣカード拾得処理対応公衆電話１では、報奨金額を表示する(ステップ９８)と共に、報奨金受取者の電子財布カード３５に報奨金を書き込む(ステップ９９)。書き込みが終了すると、報奨金受領の信号がセンター７に送信されると共に電子財布カードのユーザーエリアに格納されていた報奨ＩＤコードをリード／ライト制御回路１８，リーダ／ライタ２７などにて消去する(ステップ１００)。
報奨ＩＤコード消去が完了すると、『有難うございました。』を表示(ステップ１０１)し、その次に『報奨処理を終了します。カードをお取り下さい。』と表示(ステップ１０２)して、電子財布カードを排出する(ステップ１０３)。
上記報奨処理の説明では、ＩＣカード拾得処理対応公衆電話１を利用する場合について説明したが、センター７からの電話による本人確認時に電子財布などのＩＣカード機能を有する電話であれば、上記報奨処理をそのまま実行することが可能である。その場合、ディスプレイの表示を使うことなく、音声応答による方法が可能であることは上述のＩＣカード拾得処理対応公衆電話１による方法の説明時と同じである。
次に、拾得されたＩＣカードの所有者の処理について簡単に説明する。拾得されたＩＣカードの所有者は、自動車運転免許証，パスポートなどにより本人確認が完了した後、センター７内の拾得ＩＣカード情報メモリ５７に格納されている情報を所有者に通信回線などを通じて返却する。その場合に、金銭情報を有する場合には報奨金と拾得処理手数料に相当する金額が差し引かれた後、残りの金銭とＩＣカード内に格納されていたユーザー情報が返却される。金銭情報がないや足りない場合には、所有者から報奨金と拾得処理手数料に相当する金額が通信回線などによりセンター７に送金された後、ＩＣカード内に格納されていたユーザー情報が所有者に返却される。
他の一実施例について、図１、図４及び図５を用いて説明する。なお、図４及び図５において、図２及び図３と同じ機能のものには同一の番号を付してある。本実施例は、拾得ＩＣカードの処理において電子財布カードだけでなく、自動車運転免許証，パスポートや健康保険証などのＩＤカードも使えるようにしたものである。
まず、ＩＣカードを拾得した時の処理について説明する。拾得ＩＣカードの処理を始めるために、図１のＩＣカード拾得処理対応公衆電話１でＩＣカード拾得処理センター呼び出しボタン４を押す。具他的動作は、図４に示すＩＣカード拾得処理対応公衆電話１のブロック構成の一例において、Ｉ／Ｏポート２３を経てキーボード２５からＩＣカード拾得処理センター呼び出しボタン信号が入力され、処理回路ブロック１１内のシステム制御回路２２とＲＡＭ(Random Access Memory)２０とＲＯＭ(Read Only Memory)２４のデータに基づいてＩＣカード拾得処理対応公衆電話１を拾得ＩＣカード処理モードにする(ステップ６６)。同時にＩ／Ｏポート１２，ＬＣＤコントロール回路１０を制御し、ＬＣＤディスプレイ５に『拾得ＩＣカード又は電子財布カード／ＩＤカードを入れて下さい。』の表示を出す(ステップ１０４)。なお、以下特に説明しないが、ディスプレイ５の表示は、受話器６５をへて音声でもしらされる。
この指示に従って、拾得したＩＣカード３４を図１のカード挿入口Ａ２に挿入する。ＩＣカード拾得処理対応公衆電話１では、ＩＣカードローディング／アンローディング回路３１及び作動機構３０にてカードが挿入された事を確認すると、挿入されたカードが動作するかどうかや電子財布カードかどうか及び報奨ＩＤコードを有するＩＤカードかどうかを識別チェックする為に、ＩＣカードコネクタ２８、リーダ／ライタ回路２６，Ｉ／Ｏポート１４を通してＡＴＲ(Answer To Reset)動作が行われる。カードチェック回路１７にて動作確認を行い、ＡＴＲ情報からＩＣカードの識別を行う(ステップ１２３)。
挿入されたＩＣカードがＡＴＲ応答無しなどのような完全な不動作をカードチェック回路１７にて確認された場合には、『このＩＣカードは動作不良です。処理を中止します。有難うございました。』をディスプレイ５に一定期間表示する(ステップ６９)。一定期間終了後、『処理終了』表示に切替る(ステップ７０)とともに、挿入されたＩＣカードをＩＣカードローディング／アンローディング回路３１及び機構３０にて排出する(ステップ１１７)。
挿入されたＩＣカードの動作が確認された後、読みだされたＡＴＲ情報とＲＯＭ２４内のＩＣカード識別情報により挿入ＩＣカードの識別される(ステップ１２３)。その結果、電子財布カードでない場合及び報奨ＩＤコードを有さないＩＤカードの場合は、『拾得ＩＣカードの処理を始めて良いですか？YES(=1) or NO(=0)を入れて下さい。』の表示をディスプレイ５に出す(ステップ１２４)。『NO』が入力された場合には、『処理終了』表示に切替る(ステップ７０)とともに、挿入されたＩＣカードをＩＣカードローディング／アンローディング回路３１及び機構３０にて排出する(ステップ１１７)。
『YES』が入力された場合には、『拾得ＩＣカードの処理をはじめます』の表示をディスプレイ５に出す(ステップ１１６)。
同時にＡＴＲ内に格納されている拾得ＩＣカードの所属する処理センターの情報がデータ抽出２１にて読みだされ(ステップ７１)、その情報に基づきオートダイアル回路１９にて通信機能回路３６、公衆通信網を通して所属センターに自動的に通話(オートダイアル)される(ステップ７２)。このオートダイアルが行われると、ディスプレイ５に『センター呼出し中』の表示が成される。
一方、ＩＣカード拾得処理センターでは、公衆通信網を経てセンターに送られた上記呼出し信号を通信機能回路３８，Ｉ／Ｏポート４１を通して受信すると、処理回路ブロック４０内のシステム制御回路５４とＲＡＭ(Random Access Memory)５０とＲＯＭ５２のデータに基づき拾得ＩＣ処理モードに成り、『拾得処理受付中』の情報を発信元のＩＣカード拾得処理対応公衆電話１に返信する。なお、以下特に説明しないが、応答用の音声認識／合成回路３９は、音声での応答のための音声出力を上記返信信号と合わせてＩＣカード拾得処理対応公衆電話１に送信する。
ＩＣカード拾得処理対応公衆電話１では、この返信信号に基づき、ディスプレイ５に『拾得処理センタ受付中』を表示する(ステップ１１８)。また、Ｉ／Ｏポート１３，音声ＣＯＤＥＣ回路９，受話器６５にて、音声での応答も行う。さらに、センターは、上記信号返信に続いて、まず拾得ＩＣカードのシステム固有の情報−ＩＤコード、発行場所、発行年月日、発行バージョンなど−を読み出す指令を送信する。
この指示を受けてＩＣカード拾得処理対応公衆電話１では、処理回路ブロック１１内のリード／ライト制御回路１８により挿入された拾得ＩＣカード３４からＩＣカードコネクタ２８、リーダ／ライタ回路２６，Ｉ／Ｏポート１４を通して上記システム固有の情報を読み出す。読み出した情報は、ＩＣカード拾得処理対応公衆電話１内に格納されること無く、上記ＩＣカード拾得処理センター７に通信機能回路３６，公衆通信網３７，通信機能回路３８を経て送られる(ステップ７４)。
ＩＣカード拾得処理センター７では、読み出された情報に基づき、他のコンピュータ(バックヤードコンピュータ５５)にて通信機能５６を用いて、盗難カードのデータなどが格納されている他のデータベース６４とのチェックを行う。その結果をカード履歴チェック５１にて上記拾得ＩＣカードより読み出されたシステム固有情報と一対にする(ステップ７６)。加えて、バックヤードコンピュータ５５えは上記拾得処理とは切り離されて、通信機能５６や他のデータベース６４などを利用して、紛失ＩＣカードを探していることを掲示しているデータベース(Wanted Database)にアクセスし、拾得されたＩＣカードが該当するかどうかチェックしたり、読み出されたＩＣカード固有情報に基づいて所有者を特定する。このようにして特定されたＩＣカード所有者に対してＩＣカードが拾得されたことの連絡を行う。
このチェックと同時にＩＣカード拾得処理対応公衆電話１に対して『ＩＣカードチェック中』の返信を行う。ＩＣカード拾得処理対応公衆電話１では、この返信信号に対応してに『ＩＣカードチェック中』の表示を行う(ステップ７５)。
さらに、センター７の処理回路ブロック４０のＲＯＭ５２のデータに基づく指令により拾得ＩＣカード３４に対し不正な複製カードであるか，データ改変があるかなどセキュリティチェックのためにいくつかのアクセスを行い、その出力結果をセンター７に送信する。このセキュリティチェックデータは、解析に時間が掛かるので、拾得処理とは切り離して、バックヤードコンピュータ５５で行われる。このセキュリティチェック結果は、後述する拾得ＩＣカードの情報に付加されて格納される。
このＩＣカードチェックが終了すると、拾得ＩＣカード処理に対する報奨提供の為に電子財布カード又は自動車運転免許証、パスポートなどのＩＤカードの挿入をセンター７からＩＣカード拾得処理対応公衆電話１に指示する。これは、報奨金受取にあたり、報奨金受取人の本人確認や不正行為による報奨金搾取を防止するための信用度チェックのためでもある。この指示に基づき、まずＩＣカード拾得処理対応公衆電話１は、ディスプレイ５に『電子財布カードを入れて下さい』と言う表示をすると共に、電子財布カード受入れモードになる(ステップ７７)。ここで、カードが挿入されると、そのカードが電子財布機能を有するカードであるかどうかがチェックされ(ステップ７７)、電子財布機能を有さないカードである場合や一定時間経過してもカードが挿入されない場合にはディスプレイ５に『他のＩＤカードを入れて下さい。』表示をすると共にＩＤカードチェックモードになる(ステップ１１９)。
ステップ１１９にてカードが挿入されないと、『処理終了』の表示(ステップ７０)と共に挿入されていた拾得ＩＣカードがカード挿入口より排出される(ステップ１１７)。さらに、センター７には、拾得ＩＣカード処理の電子財布カード未挿入による途中キャンセルである情報を送信する。
この送信信号を受けて、センター７では、上記拾得ＩＣカードより読み出されたシステム固有情報と拾得ＩＣカードの履歴チェック結果に対して、処理途中終了である旨の情報を付加してセンター７内の拾得ＩＣカードメモリ５７にＩ／Ｏポート４４を経て格納する(ステップ１１７)。
ステップ７７にて電子財布カードが挿入された場合又はステップ１１９にてＩＤカードが挿入された場合には、挿入されたカードからＩＤコード、発行場所、発行年月日、発行バージョンなどのシステム固有情報が読み出される(ステップ１０５)。このカードから読み出されたシステム固有情報は、ＩＣカード拾得処理対応公衆電話１内に格納されること無く、センター７に送信される。センター７では、上記カード固有情報を受信すると、報奨者へ報奨受取可能の連絡及び本人確認のために連絡先電話番号の入力及び拾得ＩＣカード内のユーザー全情報の読み出しをするように指示を出す。この指示を受けて、ＩＣカード拾得処理対応公衆電話１は、ディスプレイ５に『連絡先電話番号を入力して下さい』の表示をし、連絡先電話番号の入力待ち状態となる(ステップ７９)。ここで、連絡先電話番号が入力されると、入力された電話番号がディスプレイ５上に表示されると共に(ステップ８４)、拾得ＩＣカード内のユーザー全情報の読み出しが行われる(ステップ８５)。
読み出された拾得ＩＣカード内のユーザー全情報は、ＩＣカード拾得処理対応公衆電話１内に格納されること無く、センター７に送信される。センター７では、上記拾得ＩＣカード内のユーザー全情報を上記電子財布カード又はＩＤカードの固有情報と連絡先電話番号情報と共に拾得ＩＣカード情報メモリ５７に格納する(ステップ１０９)。
同時にセンター７内の報奨履歴チェック回路４９は、報奨用データメモリ５８に格納されている今までの報奨支払履歴と今回送信された電子財布カードもしくはＩＤカードの固有情報とのチェックを行い、報奨金狙いの不正行為防止の為、報奨間隔が以上に短いかどうかなどのチェックを行う。
ここで、報奨履歴のチェックで異常が無いと、ＩＣカード拾得処理に対する報奨金供与の為のＩＤコードが報奨用データ生成回路４７にて生成される(ステップ８７)。
この生成された報奨用ＩＤコードは、ＩＣカード拾得処理対応公衆電話１に送信される。挿入されている電子財布カード３５もしくはＩＤカードのユーザーエリア及びＡＴＲエリアにリード／ライト制御回路１８、リーダ／ライタ２７などにより書き込まれる(ステップ８８)。報奨用ＩＤコードは、日付、拾得処理センターコード、センター電話番号、報奨処理ＩＤ番号、拾得処理ＩＣカードの種類，拾得処理を受け付けた公衆電話の番号などで構成されている。ここで、拾得処理に対する報奨金を即座に支払わずに報奨用ＩＤコードを電子財布カードもしくはＩＤカードに書き込む理由は、
１．報奨金を狙った不正行為を防止するために、
Ａ)拾得者の本人チェックを行う
Ｂ)拾得者への報奨金供与は拾得カードの所有者が発見された後行う
Ｃ)所有者が見つからない場合には、一定期間(例えば、１年とか半年など)を経た後に拾得センターが報奨金の提供を行う
２．拾得したＩＣカードには、(ａ)自動車運転免許証，(ｂ)健康保険証，(ｃ)電子財布カード，(ｄ)クレジットカードなど様々なカードが想定でき、また所有者のデータ回収必要度などが異なるので、拾得報奨を所有者の裁量に任せる余地を残す
などの為である。
報奨用ＩＤコードの書き込みが終了すると、電子財布カードの場合にはセンター７からの情報及び指令に基づき、ディスプレイ５に『有難うございました。拾得されたＩＣカードは、…カード(例えば、電子財布カードなど)でした。拾得報奨は、所有者が判明した後、ＴＥＬ通知を行います。報奨受取には、本電子財布カードが必要と成ります。』の表示を行う(ステップ８９)。一定期間表示後、『電子財布カードをお取り下さい。拾得処理終了です。』の表示(ステップ９０)と共に、挿入されていた電子財布カード排出します(ステップ１１１)。それと共に、報奨用コードが電子財布用報奨データメモリ１２１に格納される(ステップ８９)。ＩＤカードの場合には、報奨用コードがＩＤカード用報奨データメモリ１２０に格納される(ステップ１０７)。その後、センター７からの情報及び指令に基づき、ディスプレイ５に『有難うございました。拾得されたＩＣカードは、…カード(例えば、電子財布カードなど)でした。拾得報奨は、所有者が判明した後、ＴＥＬ通知を行います。報奨受取には、本ＩＤカードと電子財布カードが必要と成ります。』の表示を行う(ステップ１０８)。一定期間表示後、『電子財布カードをお取り下さい。拾得処理終了です。』の表示(ステップ９０)と共に、挿入されていた電子財布カード排出します(ステップ１１１)。
一方、拾得ＩＣカードの方は、ユーザー全情報が消去された後、ＩＣカードの動作を行えないように処理されて、ＩＣカード拾得処理対応公衆電話１内に回収される。
ところで、上記報奨履歴のチェックにて異常が認められた場合には、『拾得処理を中断します。処理中断センター(電話番号ｘｘｘ−ｙｙｙｙ)までご連絡願います。』の表示をだして、電子財布カードを排出して終了する。さらに、読み出された拾得ＩＣカードの情報に上記異常の認められた電子財布カードの固有情報及び報奨履歴の異常を示すフラグ，拾得処理受付日付時間，受付公衆電話の番号などを付加して、拾得ＩＣカード情報メモリ５７のうちの異常項目に格納する。また、拾得ＩＣカードの方は、ユーザー全情報が消去された後、ＩＣカードの動作を行えないように処理されて、ＩＣカード拾得処理対応公衆電話１内に回収される。
次に、拾得報奨金受取について図１，図４，図５を用いて説明する。
拾得処理による報奨金の受取は、上述したようにまず、センター７にて拾得ＩＣカードから読み出した情報による所有者確認や盗難等のカード履歴のチェックなどが完了したのち、拾得カードの所有者との連絡が行われる。そして、拾得カードの所有者との報奨金額(一定金額のガイドラインに基づいて算定されたもの、又は所有者からの懸賞金など)及びセンターの拾得処理手数料の確認がなされる。
この結果に基づいて、センター７内の報奨用データメモリ１２０，１２１の該当報奨ＩＤコードに対して報奨金額が書き込まれる。
その後、電話による拾得者本人確認が行われ、本人確認終了後に報奨金受取が許可される。従って、本人確認が完了するとセンター７内の報奨用データメモリ１２０，１２１にアクセス承認の措置が取られる。
報奨受取の処理を始めるために、図１のＩＣカード拾得処理対応公衆電話１ではＩＣカード拾得処理センター呼び出しボタン４を押す。具体的動作は、図４に示すＩＣカード拾得処理対応公衆電話１のブロック構成の一例において、Ｉ／Ｏポート２３を経てキーボード２５からＩＣカード拾得処理センター呼び出しボタン信号が入力され、処理回路ブロック１１内のシステム制御回路２２とＲＡＭ(Random Access Memory)２０とＲＯＭ(Read Only Memory)２４のデータに基づいてＩＣカード拾得処理対応公衆電話１を拾得ＩＣカード処理モードにする(ステップ６６)。同時にＩ／Ｏポート１２，ＬＣＤコントロール回路１０を制御し、ＬＣＤディスプレイ５に『拾得ＩＣカード又は電子財布カード／ＩＤカードを入れて下さい。』の表示を出す(ステップ１０４)。なお、以下特に説明しないが、ディスプレイ５の表示は、受話器６５をへて音声でもしらされる。
この指示に従って、拾得したＩＣカード３４を図１のカード挿入口Ａ２に挿入する。ＩＣカード拾得処理対応公衆電話１では、ＩＣカードローディング／アンローディング回路３１及び作動機構３０にてカードが挿入された事を確認すると、挿入されたカードが動作するかどうかや電子財布カードかどうか及び報奨ＩＤコードを有するＩＤカードかどうかを識別チェックする為に、ＩＣカードコネクタ２８、リーダ／ライタ回路２６，Ｉ／Ｏポート１４を通してＡＴＲ(Answer To Reset)動作が行われる。カードチェック回路１７にて動作確認を行い、ＡＴＲ情報からＩＣカードの識別を行う(ステップ１２３)。
挿入されたＩＣカードがＡＴＲ応答無しなどのような完全な不動作をカードチェック回路１７にて確認された場合には、『このＩＣカードは動作不良です。処理を中止します。有難うございました。』をディスプレイ５に一定期間表示する(ステップ６９)。一定期間終了後、『処理終了』表示に切替る(ステップ７０)とともに、挿入されたＩＣカードをＩＣカードローディング／アンローディング回路３１及び機構３０にて排出する(ステップ１１７)。
挿入されたＩＣカードの動作が確認された後、読みだされたＡＴＲ情報とＲＯＭ２４内のＩＣカード識別情報により挿入ＩＣカードの識別される(ステップ１２３)。その結果、電子財布カードである場合もしくは報奨ＩＤコードを有するＩＤカードである場合には、『報奨処理を始めます。』の表示をディスプレイ５に出す(ステップ１１５)。
次に、ユーザーエリアに格納されている報奨ＩＤコード及び上述したカード固有の情報がデータ抽出２１にて読みだされ(ステップ１１２)、報奨ＩＤコード内の情報に基づきオートダイアル回路１９にて通信機能回路３６、公衆通信網を通して報奨支払のセンター７に自動的に通話(オートダイアル)される(ステップ９３)。なお、電子財布カードでない場合及び報奨ＩＤコードを有さないＩＤカードの場合は、『拾得ＩＣカードの処理を始めて良いですか？YES=(=1) or NO(=0)を入れて下さい。』の表示をディスプレイ５に出す(ステップ１２４)。『NO』が入力された場合には、『処理終了』表示に切替る(ステップ７０)とともに、挿入されたＩＣカードをＩＣカードローディング／アンローディング回路３１及び機構３０にて排出する(ステップ１１７)。
『YES』が入力された場合には、『拾得ＩＣカードの処理をはじめます』の表示をディスプレイ５に出す(ステップ１１６)。上述した拾得処理が始まる。オートダイアルが行われると、ディスプレイ５に『センター呼出し中』の表示が成される(ステップ９４)。
一方、報奨支払処理センター７では、公衆通信網を経てセンターに送られた上記呼出し信号を通信機能回路３８，Ｉ／Ｏポート４１を通して受信すると、処理回路ブロック４０内のシステム制御回路５４とＲＡＭ(Random Access Memory)５０とＲＯＭ５２のデータに基づき報奨処理モードに成り、『報奨処理受付中』の情報を発信元のＩＣカード拾得処理対応公衆電話１に返信する。なお、以下特に説明しないが、応答用の音声認識／合成回路３９は、音声での応答のための音声出力を上記返信信号と合わせてＩＣカード拾得処理対応公衆電話１に送信する。
ＩＣカード拾得処理対応公衆電話１では、この返信信号に基づき、ディスプレイ５に『報奨処理センタ受付中』を表示する(ステップ９７)。また、Ｉ／Ｏポート１３，音声ＣＯＤＥＣ回路９，受話器６５にて、音声での応答も行う。
さらに、センター７にて報奨処理が受け付けられると同時に、電子財布カードから読みだされた報奨ＩＤコード，電子財布固有情報がセンター７に送信される。
センター７では、送信された報奨ＩＤコードと電子財布固有情報を受信データ確認回路４８などにて確認及びチェックを行う。受信データ確認回路４８は、報奨用データメモリ５８に格納されているデータと送信された報奨ＩＤコードとの対応を行うと共に、報奨金額に相当する金銭データを支払うようにセンター７内の電子財布カード６３に指示を与える。
その後、上記センター７から報奨金額表示のデータと共に電子財布カード６３から報奨金がＩＣカード拾得処理対応公衆電話１に送信される。ＩＣカード拾得処理対応公衆電話１では、報奨金額を表示する(ステップ９８)と共に、報奨金受取者の電子カード３５に報奨金を書き込む(ステップ９９)。
報奨ＩＤコードがＩＤカードに書き込まれている場合には、センター７から『電子財布カードを入れて下さい。』の指示がディスプレイ５上に表示される。
電子財布カードを他方のＩＣカード挿入口に挿入すると、センター７から送信された報奨金額が表示され、電子財布カード６３からの報奨金が挿入された電子財布カードに書き込まれる(ステップ９９)。
報奨金書き込みが終了すると、電子財布カードもしくはＩＤカードのユーザーエリアに格納されていた報奨ＩＤコードをリード／ライト制御回路１８，リーダ／ライタ２７などにて消去する(ステップ１００)。
報奨ＩＤコード消去が完了すると、『有難うございました。』を表示(ステップ１０１)し、その次に『報奨処理を終了します。カードをお取り下さい。』と表示(ステップ１０２)して、電子財布カードを排出する(ステップ１０３)。ＩＤカードの場合には、電子財布カードとＩＤカードとが排出される(ステップ１１４)。上記報奨処理の説明では、ＩＣカード拾得処理対応公衆電話１を利用する場合について説明したが、センター７からの電話による本人確認時に電子財布などのＩＣカード機能を有する電話であれば、上記報奨処理をそのまま実行することが可能である。その場合、ディスプレイの表示を使うことなく、音声応答による方法が可能であることは上述のＩＣカード拾得処理対応公衆電話１による方法の説明時と同じである。
産業上の利用可能性
本発明により、拾得したＩＣカードを拾得処理機能付き公衆電話などに挿入し、拾得処理開始ボタンを押すだけで、拾得ＩＣカード内に格納されている情報をカード拾得者及び本来のＩＣカード所有者、カード発行者などに負担をかけずに容易に回収できると共に、所有者への連絡や情報の返戻も可能となる。また、不正行為を防止しつつ、ＩＣカードの拾得者に通信回線を利用して電子マネーにて適正かつ簡単に報奨金を供与する事ができるため、ＩＣカードの拾得率が向上するメリットも生じる。また、拾得処理したＩＣカードは、情報を消去又は動作不能となっているため、拾得処理端末にて盗難が発生しても悪用される恐れが無い。これらの結果、ＩＣカードの持つセキュリティをより高いレベルに維持することが可能となり、ＩＣカードシステムのセキュリティ維持費用を安くすることが可能になる。
【図１】
0003721195.tif 000002
【図２】
0003721195.tif 000003
【図３】
0003721195.tif 000004
【図４】
0003721195.tif 000005
【図５】
0003721195.tif 000006